(57)【特許請求の範囲】
【請求項１】
数個の顎担持体を具備する顎型の締め付けチャックであって、前記顎担持体が、軸方向に運動するけん引ロッドの作用を介して該チャックの本体の中で摺動し、また前記軸方向の運動を半径方向の運動に変換しアームの回動と截頭球体と傾斜平面との接合とによってワークの締め付け作用が生じるようにする機構を具備し、前記締め付けチャックが同一の調整装置によって２つずつ作動される少なくとも６個の顎担持アームを具備し、各調整装置が、チャックの軸線上に中心が置かれ前記けん引ロッドの作用を介してチャックの本体の中を軸方向に摺動する引張り部材に関節接合されている、顎型締め付けチャックにおいて、前記調整装置（５）がチャックの半径に沿って配設された２つの矩形の開口（９）を有し、該開口の内側面の縁が、対応の顎担持アーム（４）に連結された截頭球体（７）の平面部分が当接する斜面（８）を形成していることを特徴とする顎型締め付けチャック。
【請求項２】
調整装置（５）が該調整装置の中央孔（１０）を貫通するピン（１７）を介して引張り部材（３）に蝶着されていることを特徴とする請求項１に記載の締め付けチャック。
【請求項３】
引張り部材（３）には少なくとも３対の翼部材（１４）が設けられ、翼片（１４ａ，１４ｂ）が調整装置（５）の中央部分の各側で延出していることを特徴とする請求項１に記載の締め付けチャック。
【請求項４】
ばね付勢のプッシャー（１６）が引張り部材（３）の翼片（１４ａ）に取付けられかつ調整装置（５）に当接していることを特徴とする請求項３に記載の締め付けチャック。
【請求項５】
引張り部材（３）の翼片（１４ｂ）に取付けられた針状ねじ（１９）が、ピン（１７）が所定位置に保持されるのを保証していることを特徴とする請求項２又は３に記載の締め付けチャック。
【請求項６】
各顎担持アームが後端に顎の遠心力効果を補償する錘を支持し、顎担持アームのためのストッパ（１８）が錘（１３）の領域に設けられ顎担持体（４）を締め付けが解放された時再度角度上の位置決めをするようにしていることを特徴とする請求項１に記載の締め付けチャック。
【発明の詳細な説明】
【０００１】
【発明の属する技術分野】
本発明は顎型締め付けチャックの技術分野に属し、さらに詳細にはボール接手に取付けられ２つずつ平衡された６個のアームを有するチャックに関する。
【０００２】
【従来の技術】
一定数のワークを締めつける装置、例えば、半径方向及び軸方向の締め付け型であるが締め付けが平衡されていないチャック、又はフランス特許公開第２７２０６７０号に開示されているような、半径方向締め付け型で軸方向に平衡されもしくは平衡されていない１つもしくは複数の同心のもしくは直径方向で平衡された顎を有し、半径方向の締め付けと軸方向の締め付けとの配分を変えることができ、前記締め付け型の平衡と締め付け力の分配が各顎に対してほぼ等しくなっているチャックが知られている。
【０００３】
さらに最近では、これらの装置の変更が、チャック本体の顎担持体を半径方向に精密に案内することができまた締め付けのためワークと接触する顎を最適に位置決めするよう顎担持体が軸方向に自由に回動するのを保証する締め付けチャックを構成することによって、行われている。この目的で、各顎担持体はチャックの内部に設けられた溝に沿って案内される部材が取付けられ、前記案内部材はフランス特許第２７２０６７０号に開示されているように顎担持体に対して、もっぱら軸方向に自由に回動することができる。
【０００４】
最も普通に用いられている３個の顎からなる装置はしかし、ワークが高速機械加工のもとで変形されるのを阻止することができないが、その理由はワークの外形とより良好に合致するのを保証し変形の危険をなくすためにはチャックとワークとの間の接触個所の数を増すのが有効であると考えられていたからである。この目的を念頭に置いて、本出願人は、チャックに規則正しく配列され、ボール接手に取付けられかつ２つずつ平衡された６つのアームが設けられた、６つで締め付け顎を実施する方法を選択した。
【０００５】
【発明が解決しようとする課題と課題を解決するための手段】
したがって本発明の主なる目的は、軸方向に運動するけん引ロッドの作用を介してチャックの本体の中を摺動する数個の顎担持体を具備しまた前記軸方向の運動を部材の半径方向の運動に転換する機構を具備し、アームの回転と、截頭球体と傾斜平面との接合とによりワークの締め付けが行われるようにした顎型の締め付けチャックを提供することであり、前記締め付けチャックは同一の調整装置により２つずつ作動される少なくとも６つの顎担持アームを具備し、各調整装置は、チャックの軸線を中心としけん引ロッドの作用を介して主本体の中を軸方向に摺動する引張り部材に関節接合されている。
【０００６】
本発明の１つの特定構造によれば、前記調整装置はチャックの半径に沿って配置された２つの矩形の開口を有し、該開口の内側面の縁が対応の顎担持アームに連結された截頭球体の平面部分が当接する斜面を形成している。
【０００７】
さらに精密には、調整装置はその中央孔を貫通するピンを介して引張り部材に蝶着される。
【０００８】
本発明の他の特定構造によれば、引張り部材には少なくとも３対の翼部材が設けられ、該翼部材は調整装置の中央部分の各側で延出している。
【０００９】
本発明の他の特定構造と利点とは添付図面が参照される実施態様の限定されない典型的な形式についての以下の記載から明らかとなるであろう。
【００１０】
【発明の実施の形態】
図１と２に示される締め付けチャックは、チャック本体１の周縁全体にわたって規則正しく間隔をおいて配された６個の顎２が設けられている。各顎はボール接手６により本体の内部で回動することのできる顎担持アーム４の頂部に取付けられる。アーム４の下側部分は截頭球体７の外形に合致する形状となっており、球体７の平面部分は図３と４に最も良く見られるように、調整装置５の内部に設けられた開口９の縁により形成された斜面８に当接している。各調整装置５は、その中央に円筒形の穴１０があけられその各側面に内側面の縁が斜面９を形成するチャックの半径に沿って配設された２つの矩形の開口９があけられた、円弧形状の断片である。各調整装置はしたがってその開口の中に２つの顎担持アーム４を受け入れ、この顎担持アーム４はしたがって２つずつ平衡されている。
【００１１】
３個の調整装置５はしたがってチャックの本体の全体にわたって分配される。調整装置は図２と図５及び６とに見られる引張り部材３上で穴１０と共働するピン１７により関節接合されている。チャックの軸線に中心を置く引張り部材３はけん引ロッド１１により制御され、また引張り部材３は本体１の後部に固定されたプレート１２の中を軸方向に摺動する。引張り部材３には３対の翼部材１４が設けられ各翼片１４ａと１４ｂが調整装置５の中央部分の各側で延出している。翼部材１４は調整装置の開口９に対応する開口１５があけられまたピン１７によって貫通されている。
【００１２】
図２と図６から、調整装置５はしたがって引張り部材３の翼片（１４ａ，１４ｂ）の間に把持されることが分かり、また引張り部材３の軸方向の運動が調整装置に伝達されまたそのため引張り部材により制御される２つの顎担持アーム４に伝達されることが理解される。３つの調整装置の各々はしたがって２つのアーム４の平衡された開放と閉鎖を保証する。各アーム４は、球体７が対応の斜面８の運動を受けた時アームを回動させることにより、ボール接手６により本体の内部で回動することができる。
【００１３】
各アーム４はその後端（図２の左側部分）で顎の遠心力効果を平衡するよう設計された錘１３を支持する。ストッパ１８が錘の領域に設けられ顎担持体を締め付けを解放した時角度上の再度の位置決めをしまたワークを取付けた時最大の受け入れができるようにする。
【００１４】
顎担持体の十分な案内と剛性とは３つの調整装置５が“搭載”され引張り部材３と一体に軸方向に運動することにより保証される。
【００１５】
図６をさらに詳細に参照すると、ばね付勢のプッシャー（押圧器）１６が引張り部材３の１つの翼片１４ａに取付けられ調整装置５に当接していることが分かる。これは調整装置を顎がワークを把持している間平均の中間位置に保持できるようにする。これに加えて、他方の翼片１４ｂ上の針状ねじ１９が、ピン１７が所定位置に保持されるのを保証する。
【図面の簡単な説明】
【図１】図２のＩ−Ｉ線に沿ったチャックの半分を切断した横断面図である。
【図２】図１のII−II線に沿った断面図である。
【図３】補償装置の前面図である。
【図４】図３のIV−IV線に沿った断面図である。
【図５】引張り部材の前面図である。
【図６】図１のVI−VI線に沿った断面図である。
【符号の説明】
１…チャック本体
２…顎
３…引張り部材
４…顎担持アーム
５…調整装置
６…ボール接手
７…截頭球体
８…斜面
９…開口
１０…穴
１１…けん引ロッド
１２…プレート
１３…錘
１４…翼部材
１４ａ，１４ｂ…翼片
１５…開口
１６…プッシャー
１７…ピン
１９…針状ねじ
【図１】
0004002051.tif 000002
【図２】
0004002051.tif 000003
【図３】
0004002051.tif 000004
【図４】
0004002051.tif 000005
【図５】
0004002051.tif 000006
【図６】
0004002051.tif 000007